(57)【要約】【課題】内容物の漏れ出し等の不具合を起すことなしに効率よく内容物を移し替えることができる新規な詰替え容器を提供する。【解決手段】本発明の詰替え容器は、内容物の充填空間Ｍにつながる口部１ｂを有する本体部分と、口部１ｂに取り付けたベース３と、詰替えるべき容器の口部に装着した受け部材にあてがって内容物を移し替える注出栓２とを備えた詰替え容器において、注出栓２を、充填空間Ｍにつながる貫通開口Ｈを有し、内筒３ｃと摺動可能に当接する下部周壁２ａと、下部周壁２ａの貫通開口Ｈにおいて起立し充填空間Ｍ内の内容物を内部通路を通じて注出する筒体２ｂと、下部周壁２ａと筒体２ｂとの相互間に設けられ受け部材を突き当てる段部２ｃで構成し、内筒３ｃの下端縁と密着して充填空間Ｍを閉鎖するとともに、注出栓２の押し込みによって充填空間Ｍを開放する閉塞部材４を設けたことを特徴とする。【選択図】図１
2011213388.tif 000002
【特許請求の範囲】
【請求項１】
内容物の充填空間につながる口部を有する本体部分と、前記本体部分の口部に設けられ、継続使用容器の口部に装着した受け部材にあてがって前記充填空間内の内容物を移し替える注出栓と、前記本体部分の口部に取り付けられ、前記注出栓を保持するベースとを備えた詰替え容器であって、
前記注出栓は、前記充填空間につながる貫通開口を有し、前記ベースと摺動可能に当接する下部周壁と、該下部周壁の貫通開口において起立するとともに該充填空間内の内容物を内部通路を通じて注出する筒体と、該下部周壁と筒体との相互間に設けられ、前記受け部材を突き当てる段部からなり、
前記ベースは、前記下部周壁を取り囲む内筒と、該内筒と同心二重配置となって下向き開放の環状隙間を形成し、該環状隙間に前記本体部分の口部と係合する外筒を有し、
前記内筒に、該内筒の下端縁と密着して前記充填空間を閉鎖するとともに、前記注出栓の押し込みによって該充填空間を開放する閉塞部材を設けたことを特徴とする詰替え容器。
【請求項２】
前記下部周壁は、前記閉塞部材の縁部近傍域に偏位して位置し、該注出栓の往動にて該閉塞部材を局所的に押し込む後端押し込み部を有する、請求項１記載の詰替え容器。
【請求項３】
前記筒体は、前記本体部分の注出姿勢でもって前記受け部材まで達するか若しくは前記受け部材を通り抜けて前記継続使用容器の内側に位置する先端部を有する、請求項１又は２記載の詰替え容器。
【請求項４】
前記ベースは、前記筒体を間隔をあけて取り囲み、前記筒体より高さが低くなる環状壁を備える、請求項１〜３何れかに記載の詰替え容器。
【請求項５】
前記環状壁は、前記段部に向かって高さが低くなるように傾いた傾斜部を有する、請求項４記載の詰替え容器。
【請求項６】
前記筒体を内側に収める収納空間を有し、前記環状壁に固定保持されるオーバーキャップを有する、請求項４又は５記載の詰替え容器。
【発明の詳細な説明】
【技術分野】
【０００１】
本発明は、詰替え容器に関するものであり、内容物が漏れ出したり、手や衣服を汚したりすることなく効率的に内容物を詰替えようとするものである。
【背景技術】
【０００２】
シャンプーやリンス、洗剤、消臭除菌剤あるいは化粧品等を入れる容器としては、内容物の適量取り出しを可能とするポンプの如き吐出器を備えたものや、注出口に突起やスリットを設けて液垂れしても容器内に戻るようにしたもの等、容器の機能を向上させたものが数多く上市されており、内容物を使いきった後にも、別途に市販されている詰替え容器から新たな内容物を移し替えて元の容器（以下、継続使用容器という。）を再利用するのが普通になってきており、これによって資源の有効活用が図られている（例えば、特許文献１参照）。
【０００３】
ところで、詰替え容器はもともと、パウチタイプの容器や薄肉のブロー成形品等腰がない（剛性が低い）容器が適用されており内容物の詰替えが行い難く、例えば特許文献１のように２つの容器をねじを介して連結したのち内容物の移し替えを行うなど、これまでに種々の提案がなされてきてはいるものの、従来の詰替え容器は、詰替え作業に手間がかかることからその改善が求められているのが現状であった。
【先行技術文献】
【特許文献】
【０００４】
【特許文献１】特開２０００−１５９２４９号公報
【発明の概要】
【発明が解決しようとする課題】
【０００５】
本発明の課題は、内容物の漏れ出し等の不具合を起すことなしに効率よく内容物を移し替えることができる新規な詰替え容器を提案するところにある。
【課題を解決するための手段】
【０００６】
本発明は、内容物の充填空間につながる口部を有する本体部分と、前記本体部分の口部に設けられ、継続使用容器の口部に装着した受け部材にあてがって前記充填空間内の内容物を移し替える注出栓と、前記本体部分の口部に取り付けられ、前記注出栓を保持するベースとを備えた詰替え容器であって、
前記注出栓は、前記充填空間につながる貫通開口を有し、前記ベースと摺動可能に当接する下部周壁と、該下部周壁の貫通開口において起立するとともに該充填空間内の内容物を内部通路を通じて注出する筒体と、該下部周壁と筒体との相互間に設けられ前記受け部材を突き当てる段部からなり、
前記ベースは、前記下部周壁を取り囲む内筒と、該内筒と同心二重配置となって下向き開放の環状隙間を形成し、該環状隙間に前記本体部分の口部と係合する外筒を有し、
前記内筒に、該内筒の下端縁と密着して前記充填空間を閉鎖するとともに、前記注出栓の押し込みによって該充填空間を開放する閉塞部材を設けたことを特徴とする詰替え容器である。
【０００７】
前記下部周壁は、前記閉塞部材の縁部近傍域に偏位して位置し、該注出栓の往動にて該閉塞部材を局所的に押し込む後端押し込み部を有することが望ましい。
【０００８】
前記筒体は、前記本体部分の注出姿勢でもって前記受け部材まで達するか若しくは前記受け部材を通り抜けて前記継続使用容器の内側に位置する先端部を有することが望ましい。
【０００９】
前記ベースは、前記筒体を間隔をあけて取り囲み、前記筒体より高さが低くなる環状壁を備えることが望ましい。
【００１０】
前記環状壁は、前記段部に向かって高さが低くなるように傾いた傾斜部を有することが望ましい。
【００１１】
前記筒体を内側に収める収納空間を有し、前記環状壁に固定保持されるオーバーキャップを有することが望ましい。
【発明の効果】
【００１２】
注出栓を容器の口部と係合するベースに対して摺動可能に当接させておくことで、この注出栓を押し込むだけで閉塞部材を取り外して内容物の移し替えを開始することが可能となり、内容物の手指への付着を伴うことなしに簡単な操作のもとで詰替えを行うことができる。
【００１３】
注出栓の下部周壁が閉塞部材と当接する基端(後端)に、閉塞部材の縁部近傍域に偏位して位置する押し込み部を設けたので、注出栓を押し込んだとき閉塞部材全体を簡単に傾けることが可能となり、容易に脱落させることができる。
【００１４】
注出栓の筒体に、容器本体部分の注出姿勢でもって受け部材まで達するか若しくは受け部材を通り抜けて継続使用容器の内側に位置する先端部を形成したので、詰替えの際に容器外への内容物のバブリングによる飛び散りを防止することができる。
【００１５】
ベースに、筒体を間隔をあけて取り囲み、筒体より高さが低くなる環状壁を設けたので、受け部材の底壁と干渉することなく注出栓を挿入することができ、また注出栓を挿入する部位周辺が環状壁で取り囲まれるので、詰替えの最中の内容物の飛び散りやあふれ出しを抑えることができる。
【００１６】
環状壁に、注出栓の段部に向かって高さが低くなるように傾いた傾斜部を形成したので、詰替えの際に受け部材の先端を確実に段部に突き当てることが可能となる。
【００１７】
筒体を内側に収め、環状壁に固定保持されるオーバーキャップを設けたので、注出栓の不用意な押し込みを回避し得る。
【図面の簡単な説明】
【００１８】
【図１】本発明にしたがう詰替え容器の実施の形態を示した図である。
【図２】図１に示した詰替え容器を上下逆さまにして、継続使用容器の受け部材に詰替え容器の注出栓を挿入する直前の状態を示す図である。
【図３】図２に示す状態から詰替え容器を下方へ移動させて、注出栓の段部と受け部材の先端とが接触した状態を示す図である。
【図４】図３に示す状態からさらに詰替え容器を押し下げて、継続使用容器に内容物を移し替える状況を説明する図である。
【図５】本発明にしたがう詰替え容器の他の実施の形態を示した図である。
【図６】本発明にしたがう詰替え容器の他の実施の形態を示した図である。
【図７】図６に示した詰替え容器を上下逆さまにして下方へ移動させて、注出栓の段部と受け部材の先端とが接触した状態を示す図である。
【図８】図７に示す状態からさらに詰替え容器を押し下げて、継続使用容器に内容物を移し替える状況を説明する図である。
【発明を実施するための形態】
【００１９】
以下、図面を参照して、本発明をより具体的に説明する。
図１は本発明にしたがう詰替え容器の実施の形態を模式的に示した図である。
【００２０】
図における１は、詰替えるべき内容物を充填した容器である。容器１はその本体部分１ａの内側に充填空間Ｍを有しており、頂部には、該充填空間Ｍにつながる口部１ｂが成形されている。
【００２１】
容器１は、内容物の充填量が減るにしたがい本体部分１ａそのものの減容を可能とする袋状あるいは薄肉タイプのブローボトルやパウチ等が適用されている。
【００２２】
２は、容器１の口部１ｂに設けられ、継続使用容器の口部に装着した受け部材にあてがって充填空間Ｍ内の内容物を排出する注出栓である。注出栓２の下方には下部周壁２ａが設けられており、下部周壁２ａには充填空間Ｍとつながる貫通開口Ｈが設けられている。下部周壁２ａの上部には、貫通開口Ｈにおいて起立するとともに充填空間Ｍ内の内容物を内部通路を通じて注出する筒体２ｂが一体的に設けられている。筒体２ｂは下部周壁２ａよりも径が小さく、下部周壁２ａの上端２ａ１と筒体２ｂの下端２ｂ１との相互間には、略水平に延びる段部２ｃが形成され、この段部２ｃにおいて継続使用容器の受け部材を突き当てる。
【００２３】
下部周壁２ａの基端（後端）２ａ２は、注出栓２の押し込み移動により前記閉塞部材を局所的に押し込む押し込み部である。この基端（後端）２ａ２は、一方から他方に向けて傾斜した傾斜端となっており、最も突き出た部位が後述する閉塞部材の縁部近傍域に偏位している。
【００２４】
３は容器１の口部１ｂに取り付けられるベースである。ベース３は、口部１ｂの周りを取り囲む外筒３ａと、この外筒３ａの上端に一体連結する天面壁３ｂと、外筒３ａ及び天面壁３ｂに一体連結し容器１の口部１ｂの内壁面に当接する内筒３ｃから形成されており、外筒３ａと内筒３ｃとが同心二重配置となっている。内筒３ｃと注出栓２の下部周壁２ａは摺動可能に当接しており、注出栓２は筒体２ｂの軸心Ｌに沿う向きに移動することができる。
【００２５】
４は、容器１の口部１ｂにおいて充填空間Ｍを密封状態に保持する閉塞部材である。図１に示す例で閉塞部材４は、ベース３の内筒３ｃと嵌合するフランジ付きの壁部４ａと、この壁部４ａの上端部に一体連結する板状の閉塞壁４ｂを備えており、閉塞壁４ｂの上面には上方から見た際に十字となるリブ４ｃが形成されている。
【００２６】
図２〜図４は本発明にしたがう詰め替え容器の内容物を移し替えるための継続使用容器を、詰替え容器とともに示した図である。図２〜図４における符号５は、継続使用容器、６は、継続使用容器５の口部５ａに設けられた受け部材である。
【００２７】
受け部材６は、継続使用容器５の口部５ａにねじ止めあるいはアンダーカット係合可能な環状体６ａと、この環状体６ａの上端に起立状態で一体連結する環状周壁６ｂと、継続使用容器５の口部５ａの内側において区画凹所を形成するとともにその縁部を全周にわたって環状体６ａの上端から下方に向けて一体連結したカップ部６ｃ（周壁６ｃ１と、この周壁６ｃ１の下端に一体的につながる底壁６ｃ２にて形成することができる。）と、このカップ部６ｃの底部中央において立ち上がり先端先細り形状をなす樋状のガイド片６ｄから構成されている。
【００２８】
受け部材６の環状周壁６ｂの外周面には、ねじ部が形成されており、図示しないオーバーキャップをねじ止めすることによって継続使用容器５を密封状態に保持することが可能となっている（アンダーカット係合でもよい。）。また、カップ部６ｃの底部（底壁６ｃ２）は、一端から他端に向けて傾いていており、ガイド片６ｄの内側から底部が最も低くなる部位を経由し、ここから他端の周壁６ｃ１の中央部に至る部位（空気置換口ｋ）に貫通孔６ｃ３が形成されている。
【００２９】
詰替え容器内の内容物を継続使用容器５に移し替えるには、図２に示すように容器１を上下逆さまに反転させて筒体２ｂをガイド片６ｄに沿って差し込んでいき、図３に示すように注出栓２の段部２ｃとガイド片６ｄの先端６ｄ１を接触させる。容器１の下方への移動をさらに継続させていくと下部周壁２ａがベース３の内筒３ｃにおいて摺動し、図４に示すように注出栓２の下部周壁２ａは基端２ａ２で閉塞部材４を押し込むこととなり、ベース３の内筒３ｃとの嵌合が解除されて、筒体２ｂの内部通路を通って内容物が継続使用容器５へと流れ出る。この時、継続使用容器５内の空気は空気置換口ｋから放出されるので内容物の流入が妨げられることはない。また下部周壁２ａの基端２ａ２は傾斜しているため、一旦外れた閉塞部材４が基端２ａ２を塞いで内容物の注出の妨げとなることを防止することができる。注出中に閉塞部材４が下部周壁２ａの近傍に移動しても、十字状のリブ４ｃによって閉塞部材４と下部周壁２ａとの間には隙間ができるので、注出量が大きく減って内容物の詰替えに時間がかかってしまうことはない。
【００３０】
本発明にしたがう詰替え容器は、上記のように、筒体２ｂに触れることなしに内容物の詰替えを行うことが可能であり、手指あるいは衣服に内容物が付着することがない。
【００３１】
閉塞部材４は、図５に示すように、内筒３ｃの基端に例えばアルミ製のシートである、薄肉のシート状部材を貼着して構成してもよい。かかるシートを適用する場合には、基端２ａ２をフラットな状態にしておくと、下部周壁２ａの基端２ａ２で該シートを容易に破断させることができる。
【００３２】
ガイド片６ｄはこの例では、空気置換口ｋ側で開放する切欠き部を設けてＣ型形状にとしたものを用いた場合を示したが、筒状のものを適用することも可能であり、この点は限定されない。ガイド片６ｄとして筒状のものを適用する場合には、底壁６ｃ２のガイド片６ｄの内側に位置する部位を開孔して内容物の流入口を形成し、カップ部６ｃを形成する底壁の最も低くなる部位から周壁６ｃ１の中央部に至る部位に空気置換口ｋを設けるようにすればよく、これにより、詰替え容器内の内容物を全て継続使用容器５へ移行させることが可能となる。
【００３３】
容器１は、内容物の充填量が少なくなるに伴って本体部分の全体（口頚部を除く。）が減容（縮減）できるように薄肉とするのがよいが、例えば、口頚部の根元から肩部（胴部の上端）に至るまでの領域の肉厚を、他の領域（胴部及び底部）の肉厚よりも若干厚くしておいてもよく、これによれば減容した胴体部分を肩部において形成された凹所に収めることができるので、容器の廃棄に際してコンパクトにまとめ得る。また、かかる構造を採用することで、とくに、内容物の充填前における容器のスタッキング性の改善に寄与することとなり、コンパクトにまとめておくことができる利点がある。
【００３４】
筒体２ｂは、円形状を有するものを適用することができる他、楕円形状、矩形断面をなすもの等が適用可能でありその形状は、充填する内容物等に応じて種々変更することができる。
【００３５】
筒体２ｂは、ガイド片６ｄの内側に入り込むことができる径で、かつ容器本体部分を上下逆さまに反転させて充填空間Ｍ内の内容物を移し替える注出姿勢において、その先端部２ｂ２が受け部材６の底壁６ｃ２まで達しているか、あるいは底壁６ｃ２を通り抜けて継続使用容器５の内側に位置する長さに設定されていることが好ましい。これにより内容物の移し替えに際してバブリングが起こり難く、内容物の飛散が抑えられる。
【００３６】
図６〜図８は、本発明にしたがう他の実施の形態を示した図である。図における３ｄはベース３の天面壁３ｂから起立する環状壁であり、３ｄ１は環状壁３ｄの上端となる先端部であり、３ｄ２は環状壁３ｄの内側根元において、注出栓２の段部２ｃに向かって高さが低くなるように傾く傾斜部であり、７は環状壁３ｄに固定保持されるオーバーキャップである。なお上掲図１〜図５と同一の番号を付した部材は、上記のものと共通するので説明は省略する。
【００３７】
環状壁３ｄは、筒体２ｂを間隔をあけて取り囲み、この筒体２ｂの外周壁との相互間にて環状空間ｎを形成しており、継続使用容器５の受け部材６に注出栓２を連係させる際には、環状空間ｎにガイド片６ｄを挿入させて環状壁３ｄがガイドとして機能するため、詰替え作業を簡便に行い得る。
【００３８】
環状壁３ｄは、筒体２ｂよりも高さが低くなっている。具体的には環状壁３ｄの高さを、図７に示すように容器を反転させて注出栓２の段部２ｃとガイド片６ｄの先端６ｄ１とが接触した時点において、環状壁３ｄの先端部３ｄ１を受け部材６の底壁６ｃ２よりも手前に位置させ、かつ図７の状態から容器１を押し込んで先端部３ｄ１と底壁６ｃ２が接触する時点では、図８に示すように閉塞部材４は外れているが内筒３ｃと下部周壁２ａは互いに当接する部位が残っている範囲に収めることが好ましい。これにより内容物を移し替える際には、ガイド片６ｄ周辺の貫通孔６ｃ３では環状壁３ｄで覆われているので内容物の飛び散りやあふれ出しが抑えられ、また環状壁３ｄが容器１を押し込む際のストッパーとなるので、注出栓２の容器１充填空間Ｍ内へのもぐりこみを防止することができる。
【００３９】
傾斜部３ｄ２は、段部２ｃに向かって直線状に傾斜する形状に限られず、湾曲しながら傾斜する形状であってもよい。継続使用容器５の受け部材６に注出栓２を連係させる際には、ガイド片６ｄの先端６ｄ１が傾斜部３ｄ２に沿って段部２ｃに誘導されるので、確実に注出栓２を押し下げることができる。
【００４０】
オーバーキャップ５は、筒体２ｂを内側に収める収納空間ｍを有するものであり、フランジ付きの小径筒７ａと、小径筒７ａのフランジ外縁から下方に延びて環状壁３ｄの外側を取り囲む大径筒７ｂからなる。オーバーキャップ７は、大径筒７ｂにおいて環状壁３ｄと嵌合、固定（アンダーカット係合やねじ止めでもよい。）されており、これにより筒体２ｂの不用意な押し込みを防止することができる。大径筒７ｂの内側に同心二重配置となる環状体を設けて下向き開放となる環状溝を形成し、この環状溝に環状壁３ｄを挿入して固定するようにしても良い。
【産業上の利用可能性】
【００４１】
本発明によれば、内容物のたれ落ちや手、衣服への付着を回避することが可能で、かつ、簡単な操作のもとで内容物の移し替えを行い得る詰替え容器を提供できる。
【符号の説明】
【００４２】
１    容器
１ａ  本体部分
１ｂ  口部
２    注出栓
２ａ  下部周壁
２ａ１  上端
２ａ２  基端
２ｂ    筒体
２ｂ１  下端
２ｂ２  先端部
２ｃ    段部
３    ベース
３ａ  外筒
３ｂ  天面壁
３ｃ  内筒
３ｄ  環状壁
３ｄ１  先端部
３ｄ２  傾斜部
４    閉塞部材
４ａ  壁部
４ｂ  閉塞壁
４ｃ  十字状リブ
５    継続使用容器
５ａ  口部
６    受け部材
６ａ  環状体
６ｂ  環状周壁
６ｃ  カップ部
６ｃ１  周壁
６ｃ２  底壁
６ｃ３  貫通孔
６ｄ  ガイド片
６ｄ１  先端
７    オーバーキャップ
７ａ  小径筒
７ｂ  大径筒
Ｍ    充填空間
【図１】
2011213388.tif 000003
【図２】
2011213388.tif 000004
【図３】
2011213388.tif 000005
【図４】
2011213388.tif 000006
【図５】
2011213388.tif 000007
【図６】
2011213388.tif 000008
【図７】
2011213388.tif 000009
【図８】
2011213388.tif 000010